(57)【要約】【課題】シンクの開口縁部に載置するまな板が移動しないようにする。まな板の下方に配置した容器を使用可能にする。【解決手段】シンクＳに形成した凹部１１に容器Ｕを配置し、まな板Ｔを開口縁部１２に載置する。まな板Ｔの所定部位２０が凹部１１に嵌合するから、まな板Ｔの側方移動が阻止され、安定した載置状態が得られる。まな板Ｔは、容器Ｕ上方に位置する開口２１を形成してあるので、生ゴミ等を容器Ｕ内へ投入することができる。開口２１の周囲がまな板Ｔの一部により覆われるから、生ゴミ等を容器Ｕ内へ確実に投入できる。まな板Ｔの開口２１を利用することで、容器Ｕに背丈の高い洗剤ビン等を収納可能である。シンクの開口縁部に、従来のような出っ張り構造を設ける必要がない。【選択図】      図３
2004150121.tif 000002
【特許請求の範囲】
【請求項１】
開口縁部にまな板を載置して上面開口部の一部分を覆うようになされたシンクであって、シンク内側壁の一部分に凹部が設けられ、前記まな板は、前記凹部における開口縁部の形状とほぼ一致する形状を有するように形成されていることを特徴とするシンク構造。
【請求項２】
前記凹部に容器が配置され、前記まな板における前記容器の上方部位に開口が形成されている請求項１に記載のシンク構造。
【請求項３】
シンクの開口縁部に載置されるまな板であって、下方に配置される容器と対応する部位に、野菜くず等の生ゴミを通過させることの可能な開口が形成されていることを特徴とするまな板。
【発明の詳細な説明】
【０００１】
【発明の属する技術分野】
本発明は、上面開口部の一部分を覆うようにまな板が載置されるシンク構造、及び、この構造に用いるまな板に関する。
【０００２】
【従来の技術】
台所に設置されるシンクにおいて、その上面開口部の一部分を覆うようにまな板を載置できるように構成したものが従来提案されている。このように構成することにより、シンク上でも調理作業できるから、作業領域の拡大を図れるという利点が得られる。
【０００３】
ところで特許文献１には、図８（Ａ）に示すように、内側壁３１における隅部分に湾曲面状の凹部３２を形成し、この凹部１１にゴミ収納かご等の容器３３を配置できるようにしたシンク３０が記載されている。また同特許文献１には、図８（Ｂ）に示す如く、容器３３の上方部を開口するような形状に形成したまな板４０を、シンク３０の開口縁部３４に載置することが記載されている。なお、まな板４０の側方移動を阻止するため、開口縁部３４の途中に係止段部（出っ張り部）３５を形成することも記載されている。
【０００４】
【特許文献１】
特開平１１−２４１３８４号公報
【０００５】
【発明が解決しようとする課題】
前記特許文献１は、シンク３０の開口縁部３４に載置したまな板４０を移動させないようにするため、開口縁部３４の途中に係止段部３５を形成している。そのため、シンク３０の構造が複雑になり、成形が難しくなると共に、ゴミや汚れが溜まりやすくなるという問題を生じさせる。また、シンク３０の凹部３２に配置した容器３３の上面のほぼ全体が開口するから、調理時に生じる生ゴミをまな板４０上から容器３３へ投入したときに、生ゴミ等を容器３３の周囲に付着させやすいという欠点がある。
【０００６】
【課題を解決するための手段】
本発明が前記従来の問題点を解決するために採用したシンク構造の特徴とするところは、開口縁部にまな板を載置して上面開口部の一部分を覆うようになしたものであって、シンク内側壁の一部分に凹部を設け、前記まな板を、前記凹部における開口縁部の形状とほぼ一致する形状を有するように形成したことである。
かかる構成によれば、シンクの上面開口部の一部分を覆うまな板の特定部分を、凹部の開口縁部に嵌合させることが可能であるから、まな板の移動が阻止され、安定した載置状態が得られる。またシンクの開口縁部に、従来の係止段部のような出っ張り構造を設ける必要がない。
【０００７】
ところで、前記凹部に容器を配置する場合は、前記容器の上方部位に開口を形成したまな板を使用する。これにより、まな板をシンクの開口縁部に載置したままの状態で、調理時に生じた野菜くず等の生ゴミを、下方のゴミ容器等へ確実に投入することができる。
【０００８】
【発明の実施の形態】
図１は、本発明に係るシンク構造を備えるフロアキャビネットＦの一例を示すものである。図示する如く、本発明に係るシンク構造は、シンクＳにおける内側壁１０の一部（本例では奥側の領域）に凹部１１を形成し、この凹部１１に合致するようにまな板Ｔを載置したところに特色を有するものである。
【０００９】
本例では、図２に示すように、シンクＳの二箇所に凹部１１，１１を形成し、これら凹部１１，１１それぞれに、ゴミ収納かごや洗剤立て等の容器Ｕを配置できるようにしてある。また、シンクＳの開口縁部１２には一段低くした段部を形成して、まな板Ｔを嵌合装着できるようになされている。なお、凹部１１における開口縁部１２の適所にピン状の突起１３を設け、この突起１３を、容器Ｕのフランジ部２３に形成した開孔部２４に挿通させることで、容器Ｕの位置ずれ防止を図っている。
【００１０】
まな板Ｔの材質は特に限定はなく、プラスチック製，木製，セラミック製，金属製などが考えられる。形態については、図５及び図６に示すように、シンクＳの奥行き寸法とほぼ等しい長さを有すると共に、開口縁部１２上に載置できる外形を持ち、凹部１１の開口縁部１２に一致する形状を有する部位２０を備えている。また本例のように、凹部１１に容器Ｕが配置される場合、容器Ｕの上方領域となる部位に開口２１が設けられる。さらに、前述の如く、開口縁部１２に容器Ｕの位置決め用突起１３が設けられている場合は、この突起１３と対応する部位に切欠２４を形成しておくことが望ましい。
【００１１】
本例のシンク構造は、図４に示す如く、シンクＳの開口縁部１２に載置したまな板Ｔの所定部位２０が凹部１１に嵌合される。それ故、まな板Ｔは、側方への移動が阻止されるので、安定した載置状態が得られる。また、本発明のまな板Ｔは、凹部１１に配置した容器Ｕの上方に位置する開口２１を形成してあるので、このまな板Ｔ上で調理時に生じた生ゴミ等を即座に下方の容器へ投入することが可能であり、調理作業の効率がよい。また、容器Ｕ上方の開口２１周囲が、まな板Ｔの一部により覆われているから、上述した生ゴミ等の投入作業を行ったときに、生ゴミ等を容器Ｕ内へ確実に投入することができ、容器Ｕのフランジ部２３や凹部１１の内側壁面等に生ゴミ等を付着させるおそれが少ない。なお、まな板Ｔの開口２１を利用することにより、下方の容器Ｕに、シンクＳの深さよりも背丈の高い洗剤ビン等を収納させることも可能である。
【００１２】
ところで、シンクＳに形成する凹部１１は一箇所だけでもよいが、図示する例の如く二箇所に形成する場合は、二つの凹部１１、１１を同形状又は左右対称形状とすることにより、一種類のまな板Ｔを、所望に応じて、シンクＳの左右いずれにでも載置することが可能となる。さらには、シンクＳの左右両方にまな板Ｔを載置すれば、シンクＳの上面開口部の大部分を、作業領域として利用することができる。勿論、左右の凹部１１，１１の形状が異なる場合は、それぞれ又はいずれか一方に対応する形態のまな板Ｔを用意すればよい。
【００１３】
なお本発明に係るシンク構造は、開口縁部１２に係止段部等を持たないから、前記まな板Ｔを、図７に示す如く、凹部１１の上方領域を覆う部分を持たないまな板Ｔ１に取り替えることにより、開口縁部１２に沿って側方へスライド可能にすることが可能である。この場合、まな板Ｔ１は、シンクＳにおける凹部１１を除く部分の開口縁部１２と、凹部１１に配置した容器Ｕのフランジ部２３とで、スライド可能に支持される。
【００１４】
本発明を実施するにあたり、凹部１１の形成位置を、シンクＳの手前側としてもよい。あるいは、シンクＳの手前側と奥側の双方に凹部１１を形成することも可能である。この場合、容器Ｕの配置に合わせて、開口２１をまな板Ｔに形成すればよい。その他、本発明の実施形態は、状況に応じて適宜変更することを妨げない。
【００１５】
【発明の効果】
本発明に係るシンク構造は、シンクに形成した凹部の開口縁部に一致する形状を有するまな板を載置するものであるから、まな板の特定部分を凹部の開口縁部に嵌合させることが可能であり、その結果、まな板は、移動が阻止され、安定した載置状態が得られる。またシンクの開口縁部に、従来のような出っ張り構造を設ける必要がなくなるので、シンクの形状が簡素化し、ゴミや汚れも溜まりにくくなる。
【００１６】
開口を設けたまな板を使用することにより、まな板の下方に配置した容器が使用可能となる。すなわち、まな板をシンクの開口縁部に載置したままの状態で、調理時に生じた野菜くず等の生ゴミを、下方のゴミ容器等へ確実に投入することができる。また、開口を利用することにより、下方の容器に背丈の高い洗剤ビン等を収納させることも可能である。
【図面の簡単な説明】
【図１】本発明の一実施形態に関するものであって、本発明に係るシンク構造を備えたフロアキャビネットを示す斜視図である。
【図２】本発明に係るシンク構造の一例を示すものであって、まな板と容器とを分離して示す要部の斜視図である。
【図３】本発明に係るシンク構造の一例を示すものであって、まな板を分離して示す要部の斜視図である。
【図４】本発明に係るシンク構造の一例を示す要部の斜視図である。
【図５】本発明に係るまな板の一例を示す斜視図である。
【図６】本発明に係るまな板の一例を示すものであって、図（Ａ）は正面図、図（Ｂ）は図（Ａ）のＸ−Ｘ線における側面断面図である。
【図７】本発明に係るシンク構造の他の使用形態を示す要部の斜視図である。
【図８】特許文献１に記載されている従来のシンク構造を示すものであって、図（Ａ）は容器を分離して示すシンクの斜視図、図（Ｂ）はまな板を載置した状態のシンクを示す平面図である。
【符号の説明】
Ｓ…シンク  Ｔ…まな板  Ｕ…容器  １０…内側壁  １１…凹部  １２…開口縁部  １３…突起  ２０…形状が凹部と一致する部位  ２１…開口  ２２…切欠  ２３…フランジ部  ２４…開孔部
【図１】
2004150121.tif 000003
【図２】
2004150121.tif 000004
【図３】
2004150121.tif 000005
【図４】
2004150121.tif 000006
【図５】
2004150121.tif 000007
【図６】
2004150121.tif 000008
【図７】
2004150121.tif 000009
【図８】
2004150121.tif 000010